(57)【要約】【課題】十分な明るさを有し、諸収差が良好に補正された、５枚構成の小型の撮像レンズ、該撮像レンズを備えた撮像装置、及び該撮像装置を備えた携帯端末を提供する。【解決手段】物体側より順に、正の屈折力を有する第１レンズ、光軸近傍で物体側に凹面を向けたメニスカス形状、または光軸近傍で像側の曲率半径が無限大である平凹形状である、負の屈折力を有する第２レンズ、第３レンズ、光軸近傍で物体側に凹面を向けた形状である、負の屈折力を有する第４レンズ、第５レンズからなり、前記第１レンズの物体側面の曲率半径をr1、全系の焦点距離をfとして、以下の条件式（１）を満足する。  0.29＜r1/f＜0.45      （１）【選択図】図１
2014089277.tif 000002
【特許請求の範囲】
【請求項１】
固体撮像素子の光電変換部に被写体像を結像させるための撮像レンズであって、前記撮像レンズは物体側より順に、正の屈折力を有する第１レンズ、光軸近傍で物体側に凹面を向けたメニスカス形状、または光軸近傍で像側の曲率半径が無限大である平凹形状である、負の屈折力を有する第２レンズ、第３レンズ、光軸近傍で物体側に凹面を向けた形状である、負の屈折力を有する第４レンズ、第５レンズからなり、前記第１レンズの物体側面の曲率半径をr1、全系の焦点距離をfとして、以下の条件式を満足することを特徴とする撮像レンズ。
0.29＜r1/f＜0.45      （１）
ただし、
r1：前記第1レンズの物体側面の曲率半径 
f：前記撮像レンズ全系の焦点距離  
【請求項２】
前記第５レンズの像側面は非球面形状であり、光軸との交点以外の位置に変曲点を有することを特徴とする、請求項１に記載の撮像レンズ。
【請求項３】
以下の条件式を満足することを特徴とする、請求項１又は２に記載の撮像レンズ。
-9.5＜r4/f＜-2.8      （２）
ただし、
r4：前記第２レンズの像側面の曲率半径 
f：前記撮像レンズ全系の焦点距離
【請求項４】
以下の条件式を満足することを特徴とする、請求項１から３のいずれか１項に記載の撮像レンズ。
-2.1＜f2/f＜-1.3      （３）
ただし、
f2：前記第２レンズの焦点距離
f：前記撮像レンズ全系の焦点距離
【請求項５】
以下の条件式を満足することを特徴とする、請求項１から４のいずれか１項に記載の撮像レンズ。
-2＜(r3+r4)/(r3-r4)＜0      （４）
ただし、
r3：前記第２レンズの物体側面の曲率半径 
r4：前記第２レンズの像側面の曲率半径
【請求項６】
以下の条件式を満足することを特徴とする、請求項１から５のいずれか１項に記載の撮像レンズ。
-50＜(r5+r6)/(r5-r6)＜20      （５）
ただし、
r5：前記第３レンズの物体側面の曲率半径 
r6：前記第３レンズの像側面の曲率半径
【請求項７】
以下の条件式を満足することを特徴とする、請求項１から６のいずれか1項に記載の撮像レンズ。
-25＜(r7+r8)/(r7-r8)＜0      （６）
ただし、
r7：前記第４レンズの物体側面の曲率半径 
r8：前記第４レンズの像側面の曲率半径
【請求項８】
以下の条件式を満足することを特徴とする、請求項１から７のいずれか1項に記載の撮像レンズ。
-1＜Pair34/P＜1      （７）
ただし、
Pair34：前記第3レンズの像側面と前記第4レンズの物体側面により形成される空気レンズの屈折力
P：前記撮像レンズ全系の屈折力
【請求項９】
以下の条件式を満足することを特徴とする、請求項１から８のいずれか1項に記載の撮像レンズ。
30＜vp-vn＜50      （８）
ただし、
vp：前記撮像レンズで正の屈折力を有するレンズ全てのアッべ数の平均値
vn：前記撮像レンズで負の屈折力を有するレンズ全てのアッべ数の平均値
【請求項１０】
前記第３レンズは正の屈折力を有することを特徴とする、請求項１から９のいずれか１項に記載の撮像レンズ。
【請求項１１】
前記第５レンズは正の屈折力を有することを特徴とする、請求項１から１０のいずれか１項に記載の撮像レンズ。
【請求項１２】
前記第５レンズは負の屈折力を有することを特徴とする、請求項１から１０のいずれか１項に記載の撮像レンズ。
【請求項１３】
実質的にパワーを持たないレンズを更に有することを特徴とする請求項１から１２のいずれか１項に記載の撮像レンズ。
【請求項１４】
請求項１から１３のいずれかに１項に記載の撮像レンズ
を搭載したことを特徴とする撮像装置。
【請求項１５】
請求項１３に記載の撮像装置を搭載したことを特徴とする携帯端末。
【発明の詳細な説明】
【技術分野】
【０００１】
本発明は、ＣＣＤ型イメージセンサあるいはＣＭＯＳ型イメージセンサ等の固体撮像素子に用いられる、小型で明るい撮像レンズ、該撮像レンズを備えた撮像装置、及び該撮像装置を備えた携帯端末に関するものである。
【背景技術】
【０００２】
近年、ＣＣＤ型イメージセンサやＣＭＯＳ型イメージセンサ等の固体撮像素子を用いた撮像装置が搭載された携帯端末が普及している。このような携帯端末に搭載される撮像装置においても、より高画質の画像が得られるよう、高画素数の撮像素子を使用したものが市場に供給されるようになってきた。高画素数をもつ撮像素子は大型化をともなっていたが、近年、画素の高細密化が進み、撮像素子が小型化されるようになってきた。
【０００３】
このような高細密化された撮像素子に使用される撮像レンズは高い解像力が要求されるが、解像力はＦ値により限界があり、従来のようなＦ２．８程度のＦ値では十分な性能が得られなくなってきている。このため、Ｆ値の小さい明るいレンズの方が高解像力を得られるため、高画素の小型化された撮像素子に適した、Ｆ２程度の明るい撮像レンズが求められるようになってきた。このような用途の撮像レンズとしては、３枚あるいは４枚構成のレンズに比べ大口径比化および高性能化が可能である５枚構成の撮像レンズが提案されている。
【０００４】
５枚構成の撮像レンズとして、物体側より順に正の屈折力を有する第１レンズ、第２レンズ、正の屈折力を有する第３レンズ、正又は負の屈折力を有する第４レンズ、正又は負の屈折力を有する第５レンズから構成された撮像レンズが知られている（例えば、特許文献１参照）。
【先行技術文献】
【特許文献】
【０００５】
【特許文献１】特開2010-256608号公報
【発明の概要】
【発明が解決しようとする課題】
【０００６】
しかしながら、特許文献１に記載された撮像レンズでは、十分な明るさが確保されておらず、また撮像レンズの全長が長いという問題がある。
【０００７】
本発明は、上記した問題に鑑み、十分な明るさを有し、諸収差が良好に補正された、５枚構成の小型の撮像レンズ、該撮像レンズを備えた撮像装置、及び該撮像装置を備えた携帯端末を提供することを目的とする。
【課題を解決するための手段】
【０００８】
請求項１に記載の撮像レンズは、固体撮像素子の光電変換部に被写体像を結像させるための撮像レンズであって、前記撮像レンズは物体側より順に、正の屈折力を有する第１レンズ、光軸近傍で物体側に凹面を向けたメニスカス形状、または光軸近傍で像側の曲率半径が無限大である平凹形状である、負の屈折力を有する第２レンズ、第３レンズ、光軸近傍で物体側に凹面を向けた形状である、負の屈折力を有する第４レンズ、第５レンズからなり、前記第１レンズの物体側面の曲率半径をr1、全系の焦点距離をfとして、以下の条件式を満足することを特徴とする。
0.29＜r1/f＜0.45      （１）
ただし、
r1：前記第1レンズの物体側面の曲率半径 
f：前記撮像レンズ全系の焦点距離  
【０００９】
レンズ５枚構成のうち２枚もしくは３枚を負レンズとすることで、ペッツバール和の補正を容易に行うことができる。また、その負レンズの物体側面を凹形状にすることで、入射角を小さくすることができ、非点収差の発生を抑えることができる。また、このパワー配置にすることで、前群を正の屈折力、後群を負の屈折力にすることができ、いわゆるテレフォトタイプのレンズ構成となって、撮像レンズ全長を短くすることができる。
【００１０】
条件式（１）は、前記第１レンズの物体側面の曲率半径と前記撮像レンズ全系の焦点距離の比を表す。条件式（１）の値が下限を上回ることで、球面収差やコマ収差を良好に補正することができる。また、製造誤差による性能劣化を抑制することができる。一方、条件式（１）の値が上限を下回ることで撮像レンズの全長を短くすることができる。
【００１１】
請求項２に記載の撮像レンズは、請求項１に記載の発明において、前記第５レンズの像側面は非球面形状であり、光軸との交点以外の位置に変曲点を有することを特徴とする。
【００１２】
最も像側に配置された前記第５レンズの像側面を非球面とすることで、画面周辺部での諸収差を良好に補正することができる。さらに、光軸との交点以外の位置に変曲点を有する非球面形状とすることで像側光束のテレセントリック特性が確保しやすくなる。なお、ここでいう「変曲点」とは有効半径内でのレンズ断面形状の曲線において、非球面頂点の接平面が光軸と垂直な平面となるような非球面上の点のことである。
【００１３】
請求項３に記載の撮像レンズは、請求項１又は２に記載の発明において、以下の条件式を満足することを特徴とする。
-9.5＜r4/f＜-2.8      （２）
ただし、
r4：前記第２レンズの像側面の曲率半径 
f：前記撮像レンズ全系の焦点距離
【００１４】
条件式（２）は前記第２レンズの像側面の曲率半径と前記撮像レンズ全系の焦点距離の比を表す。条件式（２）の値が下限を上回ることで、非点収差を良好に補正することができる。一方、条件式（２）の値が上限を下回ることで、画面周辺部での諸収差を良好に補正することができる。また、製造誤差による性能劣化を抑制することができる。
【００１５】
請求項４に記載の撮像レンズは、請求項１〜３のいずれかに記載の発明において、以下の条件式を満足することを特徴とする。
-2.1＜f2/f＜-1.3      （３）
ただし、
f2：前記第２レンズの焦点距離
f：前記撮像レンズ全系の焦点距離
【００１６】
条件式（３）は前記第２レンズの焦点距離と前記撮像レンズ全系の焦点距離の比を表す。条件式（３）の値が下限を上回ることで、球面収差を良好に補正することができる。一方、条件式（３）の値が上限を下回ることで、撮像レンズの全長を短くすることができる。
【００１７】
請求項５に記載の撮像レンズは、請求項１〜４のいずれかに記載の発明において、以下の条件式を満足することを特徴とする。
-2＜(r3+r4)/(r3-r4)＜0      （４）
ただし、
r3：前記第２レンズの物体側面の曲率半径 
r4：前記第２レンズの像側面の曲率半径
【００１８】
条件式（４）は前記第２レンズの物体側面の曲率半径と像側面の曲率半径の和と差の比、所謂前記第２レンズのシェーピングファクターを表す。条件式（４）の値が下限を上回ることで、画面周辺部での諸収差を良好に補正することができる。また、製造誤差による性能劣化を抑制することができる。一方、条件式（４）の値が上限を下回ることで、非点収差を良好に補正することができる。
【００１９】
請求項６に記載の撮像レンズは、請求項１〜５のいずれかに記載の発明において、以下の条件式を満足することを特徴とする。
-50＜(r5+r6)/(r5-r6)＜20      （５）
ただし、
r5：前記第３レンズの物体側面の曲率半径 
r6：前記第３レンズの像側面の曲率半径
【００２０】
条件式（５）は前記第３レンズの物体側面の曲率半径と像側面の曲率半径の和と差の比、所謂前記第３レンズのシェーピングファクターを表す。条件式（５）の値が下限を上回ることで、非点収差を良好に補正することができる。一方、条件式（５）の値が上限を下回ることで、撮像レンズの全長を短くすることができる。
【００２１】
請求項７に記載の撮像レンズは、請求項１〜６のいずれかに記載の発明において、以下の条件式を満足することを特徴とする。
-25＜(r7+r8)/(r7-r8)＜0      （６）
ただし、
r7：前記第４レンズの物体側面の曲率半径 
r8：前記第４レンズの像側面の曲率半径
【００２２】
条件式（６）は前記第４レンズの物体側面の曲率半径と像側面の曲率半径の和と差の比、所謂前記第４レンズのシェーピングファクターを表す。条件式（６）の値が下限を上回ることで、画面周辺部での諸収差を良好に補正することができる。一方、条件式（６）の値が上限を下回ることで、非点収差を良好に補正することができる。
【００２３】
請求項８に記載の撮像レンズは、請求項１〜７のいずれかに記載の発明において、以下の条件式を満足することを特徴とする。
-1＜Pair34/P＜1      （７）
ただし、
Pair34：前記第3レンズの像側面と前記第4レンズの物体側面により形成される空気レンズの屈折力
P：前記撮像レンズ全系の屈折力
【００２４】
条件式（７）は前記第３レンズの像側面と前記第４レンズの物体側面により形成される空気レンズの屈折力と前記撮像レンズ全系の屈折力の比を表す。条件式（７）の値が下限を上回ることで、前記撮像レンズの全長を短くすることができる。一方、条件式（７）の値が上限を下回ることで、球面収差を良好に補正することができる。
【００２５】
請求項９に記載の撮像レンズは、請求項１〜８のいずれかに記載の発明において、以下の条件式を満足することを特徴とする。
30＜vp-vn＜50      （８）
ただし、
vp：前記撮像レンズで正の屈折力を有するレンズ全てのアッべ数の平均値
vn：前記撮像レンズで負の屈折力を有するレンズ全てのアッべ数の平均値
【００２６】
条件式（８）は前記撮像レンズで正の屈折力を有するレンズ全てのアッべ数の平均値と前記撮像レンズで負の屈折力を有するレンズ全てのアッべ数の平均値の比を表す。条件式（８）の値が下限を上回ることで、入手しやすい硝材で構成することができる。一方、条件式（８）の値が上限を下回ることで、色収差を良好に補正することができる。
【００２７】
請求項１０に記載の撮像レンズは、請求項１〜９のいずれかに記載の発明において、前記第３レンズは正の屈折力を有することを特徴とする。
【００２８】
前記第３レンズを正の屈折力とすることで、物体側の３枚が正負正というパワー配置になり、所謂トリプレットでよく見られる形にすることができる。正負正の配置では負パワーに入る光線高が低いため、ある程度屈折率を高くしても発散効果が過剰にならないようにすることができ、負レンズ１枚でもペッツバール和を十分に補正することができる。
【００２９】
請求項１１に記載の撮像レンズは、請求項１〜１０のいずれかに記載の発明において、前記第５レンズは正の屈折力を有することを特徴とする。
【００３０】
前記第５レンズを正の屈折力とすることで、バックフォーカスを適度な長さにすることができる。
【００３１】
請求項１２に記載の撮像レンズは、請求項１〜１０のいずれかに記載の発明において、前記第５レンズは負の屈折力を有することを特徴とする。
【００３２】
前記第５レンズを負の屈折力とすることで、撮像レンズの全長を短くすることができ
る。
【００３３】
請求項１３に記載の撮像レンズは、請求項１〜１１のいずれかに記載の発明において、実質的にパワーを持たないレンズを更に有することを特徴とする。つまり、請求項１の構成に、実質的にパワーを持たないダミーレンズを付与した場合でも本発明の適用範囲内である。
【００３４】
請求項１３に記載の撮像装置は、請求項１から１３のいずれかに１項に記載の撮像レンズを搭載したことを特徴とする。
【００３５】
請求項１４に記載の携帯端末は、請求項１３に記載の撮像装置を搭載したことを特徴とする。
【００３６】
なお、本願でいう近軸曲率半径とは、実際のレンズ測定の場面においてはレンズ中央近傍（具体的には、レンズ外径に対して１０％以内の中央領域）での形状測定値を最小自乗法でフィッティングした際の近似曲率半径を近軸曲率半径とみなす。また、例えば２次の非球面係数を使用した場合には、後述の非球面定義式の基準曲率半径に２次の非球面係数も勘案した曲率半径を近軸曲率半径とみなす（例えば参考文献として、松居吉哉著「レンズ設計法」（共立出版株式会社）のＰ４１〜４２を参照）。
【発明の効果】
【００３７】
本発明によれば、十分な明るさを有し、諸収差が良好に補正された、５枚構成の小型の撮像レンズ、該撮像レンズを備えた撮像装置、及び該撮像装置を備えた携帯端末を提供することができる。
【図面の簡単な説明】
【００３８】
【図１】本実施の形態にかかる撮像装置１０の光軸に沿った断面図である。
【図２】撮像装置１０を搭載したスマートフォンの正面図（ａ）及び背面図（ｂ）である。
【図３】図２のスマートフォンの制御ブロック図である。
【図４】実施例１の撮像レンズの断面図である。
【図５】実施例１の撮像レンズの収差図（球面収差（ａ）、非点収差（ｂ）、歪曲収差（ｃ）、メリディオナルコマ収差図（ｄ））である。
【図６】実施例２の撮像レンズの断面図である。
【図７】実施例２の撮像レンズの収差図（球面収差（ａ）、非点収差（ｂ）、歪曲収差（ｃ）、メリディオナルコマ収差図（ｄ））である。
【図８】実施例３の撮像レンズの断面図である。
【図９】実施例３の撮像レンズの収差図（球面収差（ａ）、非点収差（ｂ）、歪曲収差（ｃ）、メリディオナルコマ収差図（ｄ））である。
【図１０】実施例４の撮像レンズの断面図である。
【図１１】実施例４の撮像レンズの収差図（球面収差（ａ）、非点収差（ｂ）、歪曲収差（ｃ）、メリディオナルコマ収差図（ｄ））である。
【図１２】実施例５の撮像レンズの断面図である。
【図１３】実施例５の撮像レンズの収差図（球面収差（ａ）、非点収差（ｂ）、歪曲収差（ｃ）、メリディオナルコマ収差図（ｄ））である。
【図１４】実施例６の撮像レンズの断面図である。
【図１５】実施例６の撮像レンズの収差図（球面収差（ａ）、非点収差（ｂ）、歪曲収差（ｃ）、メリディオナルコマ収差図（ｄ））である。
【図１６】実施例７の撮像レンズの断面図である。
【図１７】実施例７の撮像レンズの収差図（球面収差（ａ）、非点収差（ｂ）、歪曲収差（ｃ）、メリディオナルコマ収差図（ｄ））である。
【図１８】実施例８の撮像レンズの断面図である。
【図１９】実施例８の撮像レンズの収差図（球面収差（ａ）、非点収差（ｂ）、歪曲収差（ｃ）、メリディオナルコマ収差図（ｄ））である。
【図２０】実施例９の撮像レンズの断面図である。
【図２１】実施例９の撮像レンズの収差図（球面収差（ａ）、非点収差（ｂ）、歪曲収差（ｃ）、メリディオナルコマ収差図（ｄ））である。
【発明を実施するための形態】
【００３９】
以下、本発明の実施の形態を図面に基づいて説明する。図１は、本実施の形態にかかる撮像装置１０の光軸に沿った断面図である。以下に示す構成は概略図であり、形状や寸法等は実際と異なるものがある。
【００４０】
図１に示すように、撮像装置１０は、光電変換部（受光面）１１ａを備えた固体撮像素子としてのＣＭＯＳ型撮像素子１１と、この撮像素子１１の光電変換部１１ａに被写体像を撮像させる撮像レンズ１２と、撮像レンズ１２を保持する鏡筒１３と、平行平板状であるＩＲカットフィルタ１４と、撮像素子１１を支持する基板１５とを有する。
【００４１】
図１に示すように、撮像素子１１は、平行平板状のチップ上において、その受光側（図１で上面）の中央部に、画素（光電変換素子）が２次元的に配置された、撮像面としての光電変換部１１ａが形成されており、その周囲には信号処理回路（不図示）が形成されている。かかる信号処理回路は、各画素を順次駆動し信号電荷を得る駆動回路部と、各信号電荷をデジタル信号に変換するＡ／Ｄ変換部と、このデジタル信号を用いて画像信号出力を形成する信号処理部等から構成されている。
【００４２】
また、撮像素子１１のチップにおける受光面側の外縁近傍に形成された複数のパッドは、不図示のワイヤにより基板１５に接続されている。撮像素子１１は、光電変換部１１ａからの信号電荷をデジタルＹＵＶ信号等の画像信号等に変換し、不図示の外部回路（例えば、撮像装置を実装した上位装置が有する制御回路）へと送信するようになっている。又、外部回路から撮像素子１１を駆動するための電力やクロック信号の供給を受けることもできる。ここで、Ｙは輝度信号、Ｕ（＝Ｒ−Ｙ）は赤と輝度信号との色差信号、Ｖ（＝Ｂ−Ｙ)は青と輝度信号との色差信号である。なお、撮像素子は上記ＣＭＯＳ型のイメージセンサに限定されるものではなく、ＣＣＤ等の他のものを使用しても良い。
【００４３】
図１において、鏡筒１３の内部には、撮像レンズ１２が設けられている。撮像レンズ１２は物体側より順に、開口絞りＳ，正の屈折力を有する第１レンズＬ１、光軸近傍で物体側に凹面を向けたメニスカス形状、または光軸近傍で像側の曲率半径が無限大である平凹形状である、負の屈折力を有する第２レンズＬ２、第３レンズＬ３、光軸近傍で物体側に凹面を向けた形状である、負の屈折力を有する第４レンズＬ４、第５レンズＬ５からなる。但し、開口絞りＳは，レンズＬ１，Ｌ２の間に設けても良い。第１レンズＬ１の物体側面の曲率半径をr1、全系の焦点距離をfとして、以下の条件式を満足する。
0.29＜r1/f＜0.45      （１）
【００４４】
レンズＬ１〜Ｌ５のフランジ部間には、環状のスペーサＳＰが配置され、面間距離を精度良く確保している。レンズＬ５の撮像素子１１側には、環状のスペーサＳＰを介してＩＲカットフィルタ１４が配置されている。鏡筒１３の下端は、環状基部１６を介して基板１５上に当接している。
【００４５】
上述した撮像装置１０の動作について説明する。図２は、撮像装置１０を携帯端末としてのスマートフォン１００に装備した状態を示す。また、図３はスマートフォン１００の制御ブロック図である。
【００４６】
撮像装置１０は、例えば、鏡筒１３の物体側端面がスマートフォン１００の背面（図２（ｂ）参照）に設けられ、液晶表示部の下方に相当する位置に配設される。
【００４７】
撮像装置１０は、外部接続端子（図３では矢印）を介して、スマートフォン１００の制御部１０１と接続され、輝度信号や色差信号等の画像信号を制御部１０１側に出力する。
【００４８】
一方、スマートフォン１００は、図３に示すように、各部を統括的に制御すると共に、各処理に応じたプログラムを実行する制御部（ＣＰＵ）１０１と、電源等のスイッチ及び番号等をタッチパッドにより指示入力するための入力部６０と、所定のデータの他に撮像した映像等を液晶パネルで表示する表示部６５（但し、表示部の液晶パネルと入力部のタッチパッドはタッチパネル７０が兼用する）と、外部サーバとの間の各種情報通信を実現するための無線通信部８０と、スマートフォン１００のシステムプログラムや各種処理プログラム及び端末ＩＤ等の必要な諸データを記憶している記憶部（ＲＯＭ）９１と、制御部１０１によって実行される各種処理プログラムやデータ、若しくは処理データ、或いは撮像装置１０により得られた撮像データ等を一時的に格納する作業領域として用いられる及び一時記憶部（ＲＡＭ）９２とを備えている。
【００４９】
スマートフォン１００は、入力キー部６０の操作によって動作し、アクチュエータ（不図示）により撮像レンズ１２を駆動してオートフォーカス動作を行い、レリーズボタン７１等を押圧することで、撮像装置１０を動作させて撮像を行うことができる。撮像装置１０から入力された画像信号は、上記スマートフォン１００の制御系により、記憶部９２に記憶されたり、或いはタッチパネル７０で表示され、さらには、無線通信部８０を介して映像情報として外部に送信される。
【００５０】
（実施例）
次に、上述した実施の形態に好適な実施例について説明する。但し、以下に示す実施例により本発明が限定されるものではない。
Ｆｎｏ：Ｆナンバー
ω：半画角（?）
ｒ  ：曲率半径（ｍｍ）
ｄ  ：軸上面間隔（ｍｍ）
ｎｄ：レンズ材料のｄ線に対する屈折率
νｄ：レンズ材料のアッベ数
【００５１】
各実施例において、Ｓは面番号であり、非球面係数が記載された面が非球面形状を有する面であり、非球面の形状は、面の頂点を原点とし、光軸方向にＸ軸をとり、光軸と垂直方向の高さをｈとして以下の「数１」で表す。
【００５２】
【数１】
2014089277.tif 000003
ただし、
Ａｉ：ｉ次の非球面係数
Ｒ  ：基準曲率半径
Ｋ  ：円錐定数
繰り返すが、本願でいう近軸曲率半径とは、実際のレンズ測定の場面においてはレンズ中央近傍（具体的には、レンズ外径に対して１０％以内の中央領域）での形状測定値を最小自乗法でフィッティングした際の近似曲率半径を近軸曲率半径とみなす。また、例えば２次の非球面係数を使用した場合には、非球面定義式の基準曲率半径に２次の非球面係数も勘案した曲率半径を近軸曲率半径とみなす。
【００５３】
（実施例１）
実施例１のレンズデータを表１に示す。なお、これ以降（表のレンズデータを含む）において、１０のべき乗数（たとえば２．５×１０-02）を、Ｅ（たとえば２．５Ｅ−０２）を用いて表すものとする。図４は、実施例１の撮像レンズの断面図である。図中、Ｌ１は正の屈折力を有する第１レンズ、Ｌ２は、光軸近傍で物体側に凹面を向けたメニスカス形状、または光軸近傍で像側の曲率半径が無限大である平凹形状である、負の屈折力を有する第２レンズ、Ｌ３は負の屈折力を有する第３レンズ、Ｌ４は光軸近傍で物体側に凹面を向けた形状である、負の屈折力を有する第４レンズ、Ｌ５は負の屈折力を有する第５レンズである。第５レンズＬ５の像側面は、光軸との交点以外の位置に変曲点を有する。又、Ｓは開口絞り、Ｉは撮像装置の撮像面を示す。また、Ｆは光学的ローパスフィルタやＩＲカットフィルタ、固体撮像素子のシールガラス等を想定した平行平板を示す。
【００５４】
［表１］
実施例１ 
単位  mm 
［表1a］光学系データ 
s   r           d       nd     νd 
1   infinity    0.06      絞り 
2   infinity    -0.16 
3   1.3781      0.56    1.5465  56.15 
4   -8.7940     0.05 
5   -3.0219     0.25    1.6394  23.87 
6   -10.0000    0.50 
7   -1.7270     0.42    1.5465  56.15 
8   -1.8642     0.06 
9   -1.1430     0.30    1.6394  23.87 
10  -1.5172     0.20  
11   2.0299     1.05    1.5465  56.15 
12   1.6576     0.62 
13  infinity    0.22    1.5163  64.14 
14  infinity    0.32 
15  infinity    0.00      像面 
［表1b］諸元値 
焦点距離    3.7  
Fno         2.46  
ω(度)      37.14   
レンズ全長  4.54   
［表1c］非球面レンズの非球面係数Aiと円錐定数K 
s, K, A4, A6, A8, A10, A12, A14
3, -6.654E-01, 9.75E-03, -2.50E-02, -7.15E-02, -1.22E-01, -9.98E-02, -1.27E-01
4, 6.742E+01, -1.41E-01, 7.65E-02, -1.85E-01, 1.24E-01, -1.64E-02, -1.03E-01
5, -2.299E+01, -4.14E-02, 3.29E-01, -1.64E-01, -2.88E-01, 1.26E+00, -8.80E-01
6, -7.000E+01, 1.26E-01, 3.23E-01, -7.94E-01, 1.91E+00, -2.37E+00, 1.69E+00
7, 2.489E+00, -4.03E-01, 1.29E-01, 7.62E-01, -1.03E+00, -2.21E-01, 1.20E+00
8, 2.380E+00, -6.24E-02, -2.48E-01, 3.09E-01, 1.56E-01, -5.23E-01, 3.24E-01
9, 2.753E-01, 9.88E-01, -1.42E+00, 1.23E+00, -4.10E-01, -2.15E-01, 1.71E-01
10, -1.978E+00, 4.13E-01, -4.09E-01, 1.18E-01, 3.66E-02, -4.44E-02, 1.19E-02
11, -6.499E+00, -1.53E-01, 4.78E-02, -2.82E-03, -1.09E-03, 1.97E-04, -8.78E-06
12, -6.335E+00, -5.84E-02, 1.42E-02, -3.94E-03, 7.97E-04, -9.08E-05, 4.29E-06
【００５５】
図５は実施例１の撮像レンズにおける収差図（球面収差（ａ）、非点収差（ｂ）、歪曲収差（ｃ）、メリディオナルコマ収差（ｄ））である。尚、球面収差図及びメリディオナルコマ収差図において、点線はｇ線、実線はｄ線に対する球面収差量をそれぞれ表す。また、非点収差図において、実線Ｓはサジタル面、点線Ｍはメリディオナル面をそれぞれ表す（以下同じ）。
【００５６】
（実施例２）
実施例２のレンズデータを表２に示す。図６は、実施例２の撮像レンズの断面図である。図中、Ｌ１は正の屈折力を有する第１レンズ、Ｌ２は、光軸近傍で物体側に凹面を向けたメニスカス形状、または光軸近傍で像側の曲率半径が無限大である平凹形状である、負の屈折力を有する第２レンズ、Ｌ３は負の屈折力を有する第３レンズ、Ｌ４は光軸近傍で物体側に凹面を向けた形状である、負の屈折力を有する第４レンズ、Ｌ５は負の屈折力を有する第５レンズである。第５レンズＬ５の像側面は、光軸との交点以外の位置に変曲点を有する。又、Ｓは開口絞り、Ｉは撮像装置の撮像面を示す。また、Ｆは光学的ローパスフィルタやＩＲカットフィルタ、固体撮像素子のシールガラス等を想定した平行平板を示す。
【００５７】
［表２］
実施例２ 
単位  mm 
［表2a］光学系データ 
s   r           d       nd     νd 
1   infinity    0.06      絞り 
2   infinity    -0.16 
3   1.3995      0.66    1.5465  56.15 
4   -7.7577     0.05 
5   -2.8436     0.25    1.6394  23.87 
6   -10.0000    0.58 
7   -1.4445     0.29    1.5465  56.15 
8   -1.5455     0.10 
9   -1.1402     0.30    1.6394  23.87 
10  -1.4028     0.20 
11  2.3241      0.84    1.5465  56.15 
12  1.5261      0.62 
13  infinity    0.22    1.5163  64.14 
14  infinity    0.42 
15  infinity    0.00      像面 
［表2b］諸元値 
焦点距離    4.03 
Fno         2.47 
ω(度)      34.98 
レンズ全長  4.54 
［表2c］非球面レンズの非球面係数Aiと円錐定数K   
S, K, A4, A6, A8, A10, A12, A14
3, -6.528E-01, 1.11E-02, -4.24E-02, 1.09E-02, -6.49E-02, -1.89E-01, 6.68E-02
4, 6.105E+01, -1.39E-01, 8.79E-02, -1.87E-01, 1.60E-01, 6.40E-02, -1.25E-01
5, -2.111E+01, -3.29E-02, 2.85E-01, -2.38E-01, -2.92E-01, 1.32E+00, -8.80E-01
6, -7.000E+01, 1.66E-01, 2.34E-01, -7.22E-01, 1.82E+00, -2.58E+00, 1.94E+00
7, 1.488E+00, -3.35E-01, 2.30E-01, 7.37E-01, -1.18E+00, -2.70E-01, 1.37E+00
8, 1.442E+00, 3.47E-02, -1.95E-01, 2.09E-01, 1.43E-01, -4.97E-01, 3.71E-01
9, 3.596E-01, 1.00E+00, -1.48E+00, 1.30E+00, -4.92E-01, -2.31E-01, 2.17E-01
10, -9.680E-01, 4.09E-01, -3.94E-01, 1.06E-01, 3.17E-02, -4.54E-02, 1.54E-02
11, -1.777E+01, -1.59E-01, 5.04E-02, -2.75E-03, -1.12E-03, 1.88E-04, -7.14E-06
12, -9.563E+00, -7.06E-02, 1.65E-02, -3.71E-03, 7.63E-04, -1.33E-04, 1.07E-05
【００５８】
図７は実施例２の撮像レンズにおける収差図（球面収差（ａ）、非点収差（ｂ）、歪曲収差（ｃ）、メリディオナルコマ収差（ｄ））である。
【００５９】
（実施例３）
実施例３のレンズデータを表３に示す。図８は、実施例３の撮像レンズの断面図である。図中、Ｌ１は正の屈折力を有する第１レンズ、Ｌ２は、光軸近傍で物体側に凹面を向けたメニスカス形状、または光軸近傍で像側の曲率半径が無限大である平凹形状である、負の屈折力を有する第２レンズ、Ｌ３は負の屈折力を有する第３レンズ、Ｌ４は光軸近傍で物体側に凹面を向けた形状である、負の屈折力を有する第４レンズ、Ｌ５は負の屈折力を有する第５レンズである。第５レンズＬ５の像側面は、光軸との交点以外の位置に変曲点を有する。又、Ｓは開口絞り、Ｉは撮像装置の撮像面を示す。また、Ｆは光学的ローパスフィルタやＩＲカットフィルタ、固体撮像素子のシールガラス等を想定した平行平板を示す。
【００６０】
［表３］
実施例３ 
単位  mm 
［表3a］光学系データ 
s   r           d       nd     νd 
1   infinity    0.06      絞り 
2   infinity    -0.16 
3   1.3732      0.53    1.5465  56.15 
4   -7.8931     0.05 
5   -2.8748     0.25    1.6394  23.87 
6   -10.0000    0.49 
7   -1.6103     0.30    1.5465  56.15 
8   -1.7158     0.14 
9   -1.2691     0.30    1.6394  23.87 
10  -1.7173     0.21 
11  1.7823      0.85    1.5465  56.15 
12  1.4824      0.62 
13  infinity    0.22    1.5163  64.14 
14  infinity    0.41 
15  infinity    0.00       像面 
［表3b］諸元値 
焦点距離    3.7 
Fno         2.47 
ω(度)      37.19 
レンズ全長  4.36 
［表3c］非球面レンズの非球面係数Aiと円錐定数K 
S, K, A4, A6, A8, A10, A12, A14
3, -6.041E-01, 7.69E-03, -1.68E-02, -9.01E-02, -1.10E-01, 5.41E-02, -3.73E-01
4, -1.981E+01, -1.15E-01, 7.35E-02, -3.01E-01, 1.51E-01, 1.50E-01, -2.78E-01
5, -1.974E+01, -9.37E-03, 2.50E-01, -1.54E-01, -3.68E-01, 1.46E+00, -1.03E+00
6, -7.000E+01, 1.17E-01, 2.87E-01, -9.44E-01, 2.53E+00, -3.29E+00, 2.16E+00
7, 2.098E+00, -2.76E-01, -1.00E-01, 1.22E+00, -1.21E+00, -8.49E-02, 1.25E+00
8, 2.049E+00, 5.88E-02, -5.61E-01, 7.22E-01, 2.71E-01, -1.02E+00, 6.21E-01
9, 8.125E-01, 9.47E-01, -1.58E+00, 1.49E+00, -4.44E-01, -3.98E-01, 2.90E-01
10, -8.614E-01, 3.67E-01, -4.01E-01, 1.43E-01, 4.13E-02, -6.61E-02, 1.96E-02
11, -8.505E+00, -1.66E-01, 5.55E-02, -4.11E-03, -1.21E-03, 2.62E-04, -1.47E-05
12, -6.247E+00, -8.38E-02, 2.35E-02, -5.92E-03, 9.88E-04, -9.94E-05, 4.92E-06
【００６１】
図９は実施例３の撮像レンズにおける収差図（球面収差（ａ）、非点収差（ｂ）、歪曲収差（ｃ）、メリディオナルコマ収差（ｄ））である。
【００６２】
（実施例４）
実施例４のレンズデータを表４に示す。図１０は、実施例４の撮像レンズの断面図である。図中、Ｌ１は正の屈折力を有する第１レンズ、Ｌ２は、光軸近傍で物体側に凹面を向けたメニスカス形状、または光軸近傍で像側の曲率半径が無限大である平凹形状である、負の屈折力を有する第２レンズ、Ｌ３は負の屈折力を有する第３レンズ、Ｌ４は光軸近傍で物体側に凹面を向けた形状である、負の屈折力を有する第４レンズ、Ｌ５は負の屈折力を有する第５レンズである。第５レンズＬ５の像側面は、光軸との交点以外の位置に変曲点を有する。又、Ｓは開口絞り、Ｉは撮像装置の撮像面を示す。また、Ｆは光学的ローパスフィルタやＩＲカットフィルタ、固体撮像素子のシールガラス等を想定した平行平板を示す。
【００６３】
［表４］
実施例４ 
単位  mm 
［表4a］光学系データ 
s   r           d       nd     νd 
1   infinity    0.06      絞り 
2   infinity    -0.16 
3   1.5221      0.64    1.5465  56.15 
4   -9.6289     0.05 
5   -3.2345     0.25    1.6394  23.87 
6   -10.5263    0.51 
7   -2.2985     0.28    1.5465  56.15 
8   -2.3971     0.17 
9   -1.2580     0.30    1.6394  23.87 
10  -1.5954     0.08 
11  2.1286      1.16    1.5465  56.15 
12  1.7186      0.62 
13  infinity    0.22    1.5163  64.14 
14  infinity    0.28 
15  infinity    0.00       像面 
［表4b］諸元値  
焦点距離    3.7 
Fno         2.06 
ω(度)      37.21 
レンズ全長  4.56 
［表4c］非球面レンズの非球面係数Aiと円錐定数K 
S, K, A4, A6, A8, A10, A12, A14
3, -6.074E-01, 1.29E-02, -1.24E-02, 9.84E-03, -7.68E-02, 6.94E-02, -9.47E-02
4, -7.000E+01, -8.73E-02, 1.51E-01, -3.24E-01, 7.41E-02, 2.21E-01, -1.53E-01
5, -1.901E+01, -1.60E-02, 1.81E-01, -9.00E-02, -4.57E-01, 8.79E-01, -4.01E-01
6, -7.000E+01, 5.50E-02, 2.75E-01, -9.34E-01, 2.03E+00, -2.26E+00, 1.10E+00
7, 1.547E+00, -3.05E-01, -1.55E-01, 8.27E-01, -7.25E-01, -1.52E-01, 4.20E-01
8, 3.928E+00, 5.30E-02, -4.59E-01, 3.53E-01, 2.96E-01, -5.32E-01, 2.27E-01
9, 4.096E-01, 1.14E+00, -1.59E+00, 1.30E+00, -4.58E-01, -8.50E-02, 9.09E-02
10, -1.700E+00, 5.22E-01, -4.50E-01, 1.06E-01, 5.01E-02, -4.14E-02, 8.42E-03
11, -9.122E+00, -1.40E-01, 4.86E-02, -3.22E-03, -1.32E-03, 2.72E-04, -1.49E-05
12, -7.930E+00, -5.04E-02, 1.27E-02, -4.39E-03, 9.63E-04, -1.04E-04, 4.38E-06
【００６４】
図１１は実施例４の撮像レンズにおける収差図（球面収差（ａ）、非点収差（ｂ）、歪曲収差（ｃ）、メリディオナルコマ収差（ｄ））である。
【００６５】
（実施例５）
実施例５のレンズデータを表５に示す。図１２は、実施例５の撮像レンズの断面図である。図中、Ｌ１は正の屈折力を有する第１レンズ、Ｌ２は、光軸近傍で物体側に凹面を向けたメニスカス形状、または光軸近傍で像側の曲率半径が無限大である平凹形状である、負の屈折力を有する第２レンズ、Ｌ３は負の屈折力を有する第３レンズ、Ｌ４は光軸近傍で物体側に凹面を向けた形状である、負の屈折力を有する第４レンズ、Ｌ５は負の屈折力を有する第５レンズである。第５レンズＬ５の像側面は、光軸との交点以外の位置に変曲点を有する。又、Ｓは開口絞り、Ｉは撮像装置の撮像面を示す。また、Ｆは光学的ローパスフィルタやＩＲカットフィルタ、固体撮像素子のシールガラス等を想定した平行平板を示す。
【００６６】
［表５］
実施例５ 
単位  mm 
［表5a］光学系データ 
s   r           d       nd     νd 
1   infinity    0.06      絞り 
2   infinity    -0.16 
3   1.3871      0.59    1.5465  56.15 
4   -8.6353     0.05 
5   -3.0512     0.25    1.6394  23.87 
6   -10.0000    0.52 
7   -1.5979     0.40    1.5465  56.15 
8   -1.7271     0.05 
9   -1.1312     0.30    1.6394  23.87 
10  -1.6013     0.14 
11  1.9398      1.11    1.5465  56.15 
12  1.7633      0.62 
13  infinity    0.22    1.5163  64.14 
14  infinity    0.32 
15  infinity    0.00      像面 
［表5b］諸元値 
焦点距離    3.7 
Fno         2.46 
ω(度)      37.14  
レンズ全長  4.55 
［表5c］非球面レンズの非球面係数Aiと円錐定数K 
S, K, A4, A6, A8, A10, A12, A14
3, -6.689E-01, 1.01E-02, -3.61E-02, -3.63E-02, -1.07E-01, -1.70E-01, -3.15E-02
4, 7.000E+01, -1.35E-01, 3.57E-02, -1.64E-01, 1.59E-01, -2.04E-03, -1.16E-01
5, -2.452E+01, -3.17E-02, 2.94E-01, -2.05E-01, -2.46E-01, 1.32E+00, -9.48E-01
6, -7.000E+01, 1.44E-01, 2.94E-01, -7.51E-01, 1.85E+00, -2.43E+00, 1.81E+00
7, 1.756E+00, -4.19E-01, 1.93E-01, 7.49E-01, -1.20E+00, -3.28E-01, 1.47E+00
8, 1.909E+00, -6.41E-02, -1.69E-01, 2.28E-01, 1.18E-01, -5.15E-01, 3.75E-01
9, 2.414E-01, 1.03E+00, -1.46E+00, 1.25E+00, -4.33E-01, -1.99E-01, 1.62E-01
10, -1.759E+00, 4.17E-01, -4.10E-01, 1.14E-01, 3.72E-02, -4.40E-02, 1.19E-02
11, -8.582E+00, -1.41E-01, 4.69E-02, -3.53E-03, -1.01E-03, 2.17E-04, -1.16E-05
12, -6.838E+00, -5.37E-02, 1.19E-02, -3.27E-03, 7.23E-04, -9.12E-05, 4.64E-06
【００６７】
図１３は実施例５の撮像レンズにおける収差図（球面収差（ａ）、非点収差（ｂ）、歪曲収差（ｃ）、メリディオナルコマ収差（ｄ））である。
【００６８】
（実施例６）
実施例６のレンズデータを表６に示す。図１４は、実施例６の撮像レンズの断面図である。図中、Ｌ１は正の屈折力を有する第１レンズ、Ｌ２は、光軸近傍で物体側に凹面を向けたメニスカス形状、または光軸近傍で像側の曲率半径が無限大である平凹形状である、負の屈折力を有する第２レンズ、Ｌ３は負の屈折力を有する第３レンズ、Ｌ４は光軸近傍で物体側に凹面を向けた形状である、負の屈折力を有する第４レンズ、Ｌ５は負の屈折力を有する第５レンズである。第５レンズＬ５の像側面は、光軸との交点以外の位置に変曲点を有する。又、Ｓは開口絞り、Ｉは撮像装置の撮像面を示す。また、Ｆは光学的ローパスフィルタやＩＲカットフィルタ、固体撮像素子のシールガラス等を想定した平行平板を示す。
【００６９】
［表６］
実施例６ 
単位  mm 
［表6a］光学系データ 
s   r           d      nd      νd 
1   infinity    0.05     絞り 
2   infinity    -0.22 
3   1.3094      0.55    1.5465  56.15 
4   11.7910     0.15 
5   -2.8855     0.23    1.6394  23.87 
6   -10.0000    0.21 
7   6.7334      0.37    1.5465  56.15 
8   19.8787     0.52 
9   -2.9155     0.65    1.6394  23.87 
10  -4.1050     0.10 
11  1.7748      0.64    1.5465  56.15 
12  1.1419      0.50 
13  infinity    0.11    1.5163  64.14 
14  infinity    0.34   
15  infinity    0.00      像面 
［表6b］諸元値 
焦点距離    3.9  
Fno         2.57 
ω(度)      35.93 
レンズ全長  4.35 
［表6c］非球面レンズの非球面係数Aiと円錐定数K 
S, K, A4, A6, A8, A10, A12, A14
3, -3.314E-01, 1.61E-02, 2.84E-02, -1.24E-01, 1.26E-01, 5.07E-02, -2.54E-01
4, 7.000E+01, -3.80E-02, -4.96E-02, -1.03E-01, 1.78E-02, -8.68E-03, 8.34E-03
5, -3.047E+01, -4.69E-02, 1.46E-01, -4.51E-02, -1.34E-01, 2.48E-01, -1.77E-02
6, 5.922E+01, 7.10E-02, 1.54E-01, -1.25E-03, 1.35E-01, -1.60E-01, 3.91E-01
7, 3.968E+01, -2.46E-01, -1.35E-02, 6.67E-02, -7.74E-02, 2.23E-02, 1.85E-01
8, 7.000E+01, -1.25E-01, -1.26E-01, 1.51E-01, -2.39E-02, -9.90E-02, 1.14E-01
9, 2.778E+00, 1.23E-01, -3.37E-01, 2.46E-01, -1.52E-01, 1.60E-02, 8.30E-03
10, 4.630E+00, 1.30E-01, -1.12E-01, 2.10E-02, 2.73E-03, -7.09E-04, -2.02E-05
11, -1.433E+01, -6.92E-02, 2.01E-02, 1.80E-04, -3.64E-04, -1.73E-05, 5.71E-06
12, -6.181E+00, -9.31E-02, -1.20E-05, -1.07E-03, 2.01E-06, 4.13E-06, 6.84E-07
【００７０】
図１５は実施例６の撮像レンズにおける収差図（球面収差（ａ）、非点収差（ｂ）、歪曲収差（ｃ）、メリディオナルコマ収差（ｄ））である。
【００７１】
（実施例７）
実施例７のレンズデータを表７に示す。図１６は、実施例７の撮像レンズの断面図である。図中、Ｌ１は正の屈折力を有する第１レンズ、Ｌ２は、光軸近傍で物体側に凹面を向けたメニスカス形状、または光軸近傍で像側の曲率半径が無限大である平凹形状である、負の屈折力を有する第２レンズ、Ｌ３は負の屈折力を有する第３レンズ、Ｌ４は光軸近傍で物体側に凹面を向けた形状である、負の屈折力を有する第４レンズ、Ｌ５は負の屈折力を有する第５レンズである。第５レンズＬ５の像側面は、光軸との交点以外の位置に変曲点を有する。又、Ｓは開口絞り、Ｉは撮像装置の撮像面を示す。また、Ｆは光学的ローパスフィルタやＩＲカットフィルタ、固体撮像素子のシールガラス等を想定した平行平板を示す。
【００７２】
［表７］
実施例７ 
単位  mm 
［表7a］光学系データ 
s   r           d      nd      νd 
1   infinity    0.06     絞り 
2   infinity    -0.16 
3   1.3070      0.74    1.5465  56.15 
4   -18.3207    0.05 
5   -2.7225     0.25    1.6394  23.87 
6   -10.0000    0.68 
7   -1.4367     0.30    1.5465  56.15 
8   -1.5170     0.06 
9   -1.2011     0.30    1.6394  23.87 
10  -1.5362     0.08 
11  4.3824      1.09    1.5465  56.15 
12  2.5228      0.62 
13  infinity    0.22    1.5163  64.14 
14  infinity    0.41 
15  infinity    0.00      像面 
［表7b］諸元値 
焦点距離    4.36 
Fno         2.46 
ω(度)      32.83 
レンズ全長  4.78 
［表7c］非球面レンズの非球面係数Aiと円錐定数K  
S, K, A4, A6, A8, A10, A12, A14
3, -5.082E-01, 2.02E-02, -2.46E-02, 1.91E-02, -4.72E-03, -1.41E-01, 1.26E-02
4, -2.397E+01, -1.72E-01, 1.01E-01, -1.76E-01, 1.42E-01, 5.57E-02, -1.08E-01
5, -1.671E+01, -8.28E-03, 2.75E-01, -2.70E-01, -3.40E-01, 1.27E+00, -7.46E-01
6, -7.000E+01, 2.47E-01, 2.09E-01, -5.99E-01, 1.75E+00, -2.96E+00, 2.54E+00
7, 1.534E+00, -2.48E-01, 1.46E-01, 7.42E-01, -1.18E+00, -2.89E-01, 1.08E+00
8, 1.094E+00, 1.46E-01, -3.11E-01, 2.87E-01, 1.61E-01, -5.70E-01, 3.35E-01
9, 2.468E-01, 9.16E-01, -1.29E+00, 1.10E+00, -4.51E-01, -3.49E-02, 5.88E-02
10, -5.501E-01, 3.50E-01, -3.43E-01, 1.24E-01, 2.19E-02, -4.93E-02, 1.54E-02
11, -6.181E+01, -1.48E-01, 4.48E-02, 7.01E-04, -1.28E-03, -8.35E-05, 3.73E-05
12, -1.732E+01, -5.74E-02, 1.46E-02, -3.73E-03, 6.79E-04, -8.90E-05, 6.02E-06
【００７３】
図１７は実施例７の撮像レンズにおける収差図（球面収差（ａ）、非点収差（ｂ）、歪曲収差（ｃ）、メリディオナルコマ収差（ｄ））である。
【００７４】
（実施例８）
実施例８のレンズデータを表８に示す。図１８は、実施例８の撮像レンズの断面図である。図中、Ｌ１は正の屈折力を有する第１レンズ、Ｌ２は、光軸近傍で物体側に凹面を向けたメニスカス形状、または光軸近傍で像側の曲率半径が無限大である平凹形状である、負の屈折力を有する第２レンズ、Ｌ３は負の屈折力を有する第３レンズ、Ｌ４は光軸近傍で物体側に凹面を向けた形状である、負の屈折力を有する第４レンズ、Ｌ５は負の屈折力を有する第５レンズである。第５レンズＬ５の像側面は、光軸との交点以外の位置に変曲点を有する。又、Ｓは開口絞り、Ｉは撮像装置の撮像面を示す。また、Ｆは光学的ローパスフィルタやＩＲカットフィルタ、固体撮像素子のシールガラス等を想定した平行平板を示す。
【００７５】
［表８］
実施例８ 
単位  mm 
［表8a］光学系データ 
s   r           d      nd      νd 
1   infinity    0.06     絞り 
2   infinity    -0.16  
3   1.8903      1.37    1.5465  56.15 
4   -3.1707     0.05 
5   -3.0587     0.25    1.6394  23.87 
6   -10.0000    0.48 
7   -1.9365     0.32    1.5465  56.15 
8   -1.7166     0.06 
9   -1.2307     0.29    1.6394  23.87 
10  -1.3453     0.20  
11  4.3854      0.83    1.5465  56.15 
12  1.1879      0.62 
13  infinity    0.22    1.5163  64.14 
14  infinity    0.15 
15  infinity    0.00      像面   
［表8b］諸元値 
焦点距離    4.2 
Fno         2.47  
ω(度)      34.02 
レンズ全長  4.83 
［表8c］非球面レンズの非球面係数Aiと円錐定数K 
S, K, A4, A6, A8, A10, A12, A14
3, -8.813E-01, 3.00E-03, -1.52E-02, -1.35E-02, 4.91E-02, -7.27E-02, 3.25E-02
4, 3.652E+00, -6.10E-02, 1.12E-01, -2.08E-01, 1.16E-01, 2.16E-01, -2.06E-01
5, -2.061E+01, -3.78E-03, 1.34E-01, -1.62E-01, -2.62E-01, 8.95E-01, -5.51E-01
6, 5.513E+01, 1.08E-01, 2.02E-01, -8.74E-01, 1.73E+00, -1.86E+00, 9.14E-01
7, 7.679E-01, -2.76E-01, 7.79E-02, 6.52E-01, -9.43E-01, -1.97E-01, 6.31E-01
8, 1.474E+00, 1.48E-01, -2.96E-01, 1.65E-01, 2.18E-01, -4.57E-01, 2.48E-01
9, 2.275E-01, 1.00E+00, -1.34E+00, 1.07E+00, -4.66E-01, -3.35E-04, 5.15E-02
10, -7.483E-01, 5.08E-01, -4.38E-01, 1.13E-01, 3.63E-02, -4.68E-02, 1.46E-02
11, -7.000E+01, -2.05E-01, 5.16E-02, -5.36E-04, 1.96E-03, -9.21E-04, 7.67E-05
12, -9.177E+00, -6.23E-02, 1.59E-02, -3.57E-03, 6.95E-04, -1.07E-04, 7.41E-06
【００７６】
図１９は実施例８の撮像レンズにおける収差図（球面収差（ａ）、非点収差（ｂ）、歪曲収差（ｃ）、メリディオナルコマ収差（ｄ））である。
【００７７】
（実施例９）
実施例９のレンズデータを表９に示す。図２０は、実施例９の撮像レンズの断面図である。図中、Ｌ１は正の屈折力を有する第１レンズ、Ｌ２は、光軸近傍で物体側に凹面を向けたメニスカス形状、または光軸近傍で像側の曲率半径が無限大である平凹形状である、負の屈折力を有する第２レンズ、Ｌ３は負の屈折力を有する第３レンズ、Ｌ４は光軸近傍で物体側に凹面を向けた形状である、負の屈折力を有する第４レンズ、Ｌ５は正の屈折力を有する第５レンズである。第５レンズＬ５の像側面は、光軸との交点以外の位置に変曲点を有する。又、Ｓは開口絞り、Ｉは撮像装置の撮像面を示す。また、Ｆは光学的ローパスフィルタやＩＲカットフィルタ、固体撮像素子のシールガラス等を想定した平行平板を示す。
【００７８】
［表９］
実施例９ 
単位  mm 
［表9a］光学系データ 
s   r           d       nd     νd 
1   infinity    0.06      絞り 
2   infinity    -0.16 
3   1.6022      0.69    1.5465  56.15 
4   -6.4306     0.05 
5   -3.9936     0.25    1.6394  23.87 
6   infinity    0.63 
7   -1.3461     0.30    1.5465  56.15 
8   -1.4125     0.05 
9   -3.8924     0.29    1.6394  23.87 
10  infinity    0.27  
11  2.0142      1.41    1.5465  56.15 
12  2.1233      0.62 
13  infinity    0.22    1.5163  64.14  
14  infinity    0.17 
15  infinity    0.00      像面 
［表9b］諸元値 
焦点距離    4.01 
Fno         2.46 
ω(度)      35.04 
レンズ全長  4.93 
［表9c］非球面レンズの非球面係数Aiと円錐定数K 
s, K, A4, A6, A8, A10, A12, A14
3, -8.005E-01, 3.09E-03, -2.44E-02, -4.48E-02, 7.35E-02, -2.54E-01, 1.25E-01
4, 5.036E+01, -1.29E-01, 1.98E-01, -3.00E-01, 4.65E-02, 2.34E-01, -5.56E-02
5, -1.271E+01, -2.52E-02, 2.87E-01, -2.91E-01, -3.55E-01, 1.16E+00, -6.27E-01
6, 0.000E+00, 9.14E-02, 2.60E-01, -8.00E-01, 1.82E+00, -2.36E+00, 1.48E+00
7, 9.578E-01, -2.49E-01, 3.58E-01, 3.57E-01, -8.38E-01, -1.40E-01, 9.45E-01
8, 7.018E-01, 2.20E-02, -9.55E-02, 2.04E-01, 1.51E-01, -6.03E-01, 4.00E-01
9, 1.171E+01, 3.53E-01, -7.29E-01, 8.73E-01, -7.78E-01, 4.03E-01, -1.10E-01
10, 0.000E+00, -2.97E-02, -2.00E-02, -3.13E-02, 3.27E-02, -1.93E-02, 4.72E-03
11, -1.230E+01, -1.06E-01, 3.65E-02, -2.23E-03, -1.24E-03, 2.79E-04, -1.77E-05
12, -4.588E-01, -9.97E-02, 2.38E-02, -4.99E-03, 6.78E-04, -5.34E-05, 1.62E-06
【００７９】
図２１は実施例９の撮像レンズにおける収差図（球面収差（ａ）、非点収差（ｂ）、歪曲収差（ｃ）、メリディオナルコマ収差（ｄ））である。
【００８０】
各条件式に対応する各実施例の値を表１０に示す。
【００８１】
【表１０】
2014089277.tif 000004
【産業上の利用可能性】
【００８２】
本発明は、明細書に記載の実施例に限定されるものではなく、他の実施例・変形例を含むことは、本明細書に記載された実施例や思想から本分野の当業者にとって明らかである。例えば、実質的にパワーを持たないダミーレンズを更に付与した場合でも本発明の適用範囲内である。
【符号の説明】
【００８３】
１０            撮像装置
１１            撮像素子
１１ａ            光電変換部
１２            撮像レンズ
１３            鏡筒
１４            ＩＲカットフィルタ
１５            基板
１６            環状基部
６０            入力キー部
６５            表示部
７０            タッチパネル
７１            レリーズボタン
８０            無線通信部
９２            記憶部
１００            スマートフォン
１０１            制御部ＩＤ
Ｌ１            レンズ
Ｌ２            レンズ
Ｌ３            レンズ
Ｌ４            レンズ
Ｌ５            レンズ
ＳＰ            スペーサ
【図１】
2014089277.tif 000005
【図３】
2014089277.tif 000006
【図４】
2014089277.tif 000007
【図５】
2014089277.tif 000008
【図６】
2014089277.tif 000009
【図７】
2014089277.tif 000010
【図８】
2014089277.tif 000011
【図９】
2014089277.tif 000012
【図１０】
2014089277.tif 000013
【図１１】
2014089277.tif 000014
【図１２】
2014089277.tif 000015
【図１３】
2014089277.tif 000016
【図１４】
2014089277.tif 000017
【図１５】
2014089277.tif 000018
【図１６】
2014089277.tif 000019
【図１７】
2014089277.tif 000020
【図１８】
2014089277.tif 000021
【図１９】
2014089277.tif 000022
【図２０】
2014089277.tif 000023
【図２１】
2014089277.tif 000024
【図２】
2014089277.tif 000025